(57)【要約】下半身衣類２２０は、本体部１０４と、本体部の前部の周りに配設された前立て１０６と、前立てに接続されていると共に前立てを支えるように構成されたサポートスリングとを含む。サポートスリングは、前立ての左側外周１１２ａに沿って延びる左布地片２２４と、前立ての右側外周１１２ｂに沿って延びる右布地片２２６とを含む。左布地片の部分は、重なり部分２２８で、右布地片の部分と重なり、重なり部分は前立ての底部に隣接して配置されている。
2019511646.tif 000002
【特許請求の範囲】
【請求項１】
本体部と；
前記本体部の前部の周りに配設された前立てと；
前記前立てに接続されたサポートスリングであって、
前記前立ての左側外周に沿って延びる左布地片と、
前記前立ての右側外周に沿って延びる右布地片と、を有するサポートスリングと；を備え、
前記前立ての底部に隣接して配置された重なり部分で、前記左布地片の第１の部分が前記右布地片の第１の部分と重なっている；
下半身衣類。
【請求項２】
前記左布地片と前記右布地片とは、前記前立ての中心線に対して対称である、
請求項１に記載の下半身衣類。
【請求項３】
前記左布地片の第１の長端は、前記前立てを前記本体部の隣接する布地に接続する左側縫い目に沿って延びており、前記右布地片の第１の長端は、前記前立てを前記本体部の隣接する布地に接続する右側縫い目に沿って延びている、
請求項１又は請求項２に記載の下半身衣類。
【請求項４】
前記左布地片の幅は、前記前立ての中心線に向かって内側へ且つ前記前立ての第１の部分を超えて延びており、前記右布地片の幅は、前記前立ての中心線に向かって内側へ且つ前記前立ての第２の部分を超えて延びている、
請求項１乃至請求項３のいずれか１項に記載の下半身衣類。
【請求項５】
前記左布地片及び前記右布地片は、前記前立ての前記底部と前記前立ての上部との間で、それぞれの長さに沿って実質的に平面である、
請求項１乃至請求項４のいずれか１項に記載の下半身衣類。
【請求項６】
前記前立ての上部に隣接して配置された第２の重なり部分で、前記左布地片の第２の部分が前記右布地片の第２の部分と重なっている、
請求項１乃至請求項５のいずれか１項に記載の下半身衣類。
【請求項７】
前記左布地片は、前記前立ての前記底部と前記前立ての上部左側部との間における長さに沿って交差しており、前記右布地片は、前記前立ての前記底部と前記前立ての上部右側部との間における長さに沿って交差している、
請求項１乃至請求項３のいずれか１項に記載の下半身衣類。
【請求項８】
前記左布地片と前記右布地片との間の空間は、前記下半身衣類の着用者の外部男性生殖器の少なくとも一部を受けるように構成された開口を画成し、前記左布地片及び前記右布地片は、前記着用者により着用されているときの前記下半身衣類の前記着用者の前記外部男性生殖器の少なくとも一部と内腿との間にある、
請求項１乃至請求項７のいずれか１項に記載の下半身衣類。
【請求項９】
前記左布地片及び前記右布地片はメッシュ生地を備える、
請求項１乃至請求項８のいずれか１項に記載の下半身衣類。
【請求項１０】
前記左布地片及び前記右布地片は２層のメッシュ生地を備える、
請求項９に記載の下半身衣類。
【請求項１１】
前記左布地片の露出された端部は、ループ縫製、縁取り縫製、仕上げ縁、レーザカット縁、仕上げ縫合、及び折りたたみ縫合のうちの少なくとも１つを含む、
請求項１乃至請求項１０のいずれか１項に記載の下半身衣類。
【請求項１２】
前記本体部の上端に取り付けられて着用者の胴を包囲するように構成されたウエストバンドを更に備える、
請求項１乃至請求項１１のいずれか１項に記載の下半身衣類。
【請求項１３】
前記本体部の２つの脚部間で、前記本体部の底部に取り付けられたマチを更に備える、
請求項１乃至請求項１２のいずれか１項に記載の下半身衣類。
【請求項１４】
前記下半身衣類は下着を含む、
請求項１乃至請求項１３のいずれか１項に記載の下半身衣類。
【請求項１５】
前記下着はボクサー、ブリーフ、又はボクサーブリーフを含む、
請求項１４に記載の下半身衣類。
【発明の詳細な説明】
【技術分野】
【０００１】
本開示は、男性下着のような、サポート要素付き下半身衣類に関する。
【発明の概要】
【０００２】
本開示は、サポート要素付きの、男性下着のような、下半身衣類を記載する。
【０００３】
ある態様では、下半身衣類は、本体部と、本体部の前部の周りに配設された前立て（フロントポーチ、前部小袋）と、前立てに接続されたサポート要素とを含む。ある態様では、下半身衣類は、本体部と、本体部の前部の周りに配設された前立てと、前立てに接続されていると共に前立てを支えるように構成されたサポート要素とを備える。
【０００４】
これらの態様は、以下の特徴の一部又はすべてを含んでもよく、まったく含まなくてもよい。サポート要素は、前立ての外周の周りに部分的に配設されるサポートスリングを含むことができる。サポート要素は、前立ての側部に近接する交差サポートスリングを含むこともできる。サポート要素は、前立ての側部に近接する鍵穴サポートスリング（キーホールサポートスリング）を含むこともできる。サポート要素は、前立ての底部に近接するサポートバスケット（サポートかご）を含むこともできる。サポート要素は、前部（フロント部）にわたって横方向に延びる縫合（縫い目）を含むことができ、この縫合は前立てにサポート（支え）をもたらすように構成されている。縫合は、弾性部を含むことができる。縫合は、この縫合に近接する前立てに布地襞（ギャザー）を作ることもできる。下半身衣類は、ウエストバンド（腰回りを締める帯状の布）を含むこともできる。下半身衣類は、二本の脚部の間にマチを含むこともできる。サポート要素は、柔軟な（可撓性のある）メッシュ生地を含むこともできる。
【０００５】
本開示に記載された主題の一つ以上の実施の詳細を、添付する図面及び以下の説明に記載する。本主題の他の特徴、態様及び利点は、かかる説明、図面、請求項から明らかになる。
【図面の簡単な説明】
【０００６】
【図１】例示の下半身衣類の正面図である。
【０００７】
【図２Ａ】例示のサポート構造付き下半身衣類の断面内側正面図である。
【図２Ｂ】例示のサポート構造付き下半身衣類の断面内側正面図である。
【図２Ｃ】例示のサポート構造付き下半身衣類の断面内側正面図である。
【０００８】
【図３】例示の下半身衣類の正面図である。
【０００９】
【図４Ａ】例示の下半身衣類の正面図である。
【図４Ｂ】例示の下半身衣類の断面内側正面図である。
【００１０】
各図面における同様の符号及び名称は、同様の要素を示す。
【発明を実施するための形態】
【００１１】
本開示は、下半身衣類用、例えば、男性下着（ボクサー、ボクサーブリーフ、ブリーフ、及び／又はその他等）のためのサポート要素について述べる。サポート要素は、例えば、意図するサポートの位置、下半身衣類の種類、機能、柔軟性、及び／又はその他の要因によって、様々な形を取ることができる。ここで述べるサポート要素は、下半身衣類の前立て部（フロントポーチ部、前部小袋部）に近接して配置される下半身衣類の着用者の外部男性生殖器の少なくとも一部を支えるのに用いることができる。この前立て部は、外部男性生殖器の全部又は一部の支えをもたらすことができる様々なサポート要素を含むことができる。例えば、下半身衣類は、前立ての外周の周りなど、前立てを（部分的に、実質的に、又は完全に）囲むサポートスリング（支持する吊り布片）を含むことができる。サポートスリングは、着用者の外部男性生殖器の少なくとも一部のための部分的に囲まれたスリング部を部分的に画成するように形成されたクモの巣状のメッシュ生地層などのサポート布地片を含むことができ、このスリング部は、前立ての内面とサポートスリングのサポート布地片との間の部分を含むことができる。場合によっては、サポート要素は、伸縮性、サポート（支え）、又は、伸縮性とサポートの両方を、着用者の男性器を支える前立てにもたらすために、下半身衣類の前立ての下部にわたって又は下部に沿って縫製線又は縫製縫い目を含むこともできる。
【００１２】
図１は、例示の下半身衣類１００、例えば男性用ボクサーブリーフ、の正面図である。この下半身衣類は、下半身衣類１００の上端にあるウエストバンド１０２と、本体部１０４とを含み、本体部１０４は、前立て１０６と、後方の臀部部（不図示）と、左脚部１０８ａ及び右脚部１０８ｂとを含み、左脚部１０８ａ及び右脚部１０８ｂの下端のそれぞれに脚部開口部１１０ａ、１１０ｂがある。ウエストバンド１０２は、胴体を包囲する形をしており、例えば、シームレス編み込み（継目なし編み込み）、縫製、融合（溶着）、接合、接着、その他結合により、本体部１０４につながっている。着用者が例示の下半身衣類１００を着用すると、ウエストバンドは着用者の胴体を包囲し、前立て１０６は着用者の外部男性生殖器の少なくとも一部を支えながら隣接し、臀部部は着用者の臀部に隣接し、左脚部１０８ａ及び右脚部１０８ｂは着用者の両脚を受ける。図１に示す前立て１０６は、例えば、左縫い目１１２ａ、右縫い目１１２ｂなどの左右縫い目で本体部１０４に隣接した布地に縫着されている。しかし、前立て１０６は、その他の様々な方法で本体部１０４に隣接する布地に結合されていてもよい。例えば、前立て１０６は、編み込み（シームレス編み込みなど）、縫製、融合、接合、接着、その他結合により、本体部１０４に隣接する布地に結合することもできる。
【００１３】
実施によっては、支え、補強、及び／又は快適性を、前立て１０６及び／又は下半身衣類１００の着用者に提供するために、下半身衣類１００の前立て１０６は一つ以上のサポート要素を含んでいる。場合によっては、サポート要素は、柔軟なメッシュ生地のような柔軟な布地を含んでいる。しかし、サポート要素の材料は変えることができ、その柔軟性は、前立て１０６及び／又は本体部１０４の布地より高くも低くも同等とすることもできる。場合によっては、前立て１０６のサポート要素は、衣類の内部に配設されたサポートスリングを含んでいる。サポートスリングは、以下に詳しく述べるように、様々な形を取ることができる。場合によっては、本体部１０４は、両脚部１０８ａ、１０８ｂの間で下半身衣類１００の底部にマチ部（ガセット部）を含む。下半身衣類１００は、図に示す各部におけるように、その全体又は大部分を環状に編んだり、下半身衣類１００の各部を作るために布地をカットしたり、及び／又は、衣類部分を結合する縫製又は縫い目でもって下半身衣類１００のカット部分を一緒に縫製したり、様々な方法で製造することができる。前立て１０６は、図１に示すように、前部分とマチに近接する下部水平縫い目１１４のまわりに左縫い目１１２ａ及び右縫い目１１２ｂで編んで、本体部１０４に編み込むことができる。場合によっては、図３、図４Ａ、及び図４Ｂに示し後に詳述するように、前立ては、例えば、着用者が衣類を着用したときに、外部男性生殖器の全部又は一部を衣服の外側に露出させる貫通口となる重なり部分を含む貫通開口部を含むことができる。
【００１４】
図２Ａは、例示の下半身衣類２００の前側の内部を示す断面内側正面図であり、例えば、下半身衣類２００の着用者の肌に接する下半身衣類２００の前側の内部の各部である。例示の下半身衣類２００は、下半身衣類２００が、前立て１０６の左右外周を実質的に画成する左縫い目１１２ａ及び右縫い目１１２ｂに沿って、前立て１０６に近接する本体部１０４内に（すなわち、衣類の内部に）配設されたサポートスリング２０２の形態のサポート要素を含むことを除けば、図１の下半身衣類１００と同様である。サポートスリング２０２は、前立て１０６の下端からウエストバンド１０２に隣接する前立ての上端まで延びる左布地片２０４と右布地片２０６とを含む。
【００１５】
図２Ａの、例示の下半身衣類を参照すると、サポートスリング２０２の左布地片２０４と右布地片２０６とは、交差して配設されると共に、前立て１０６の側面の実質的に垂直な縫い目１１２ａ、１１２ｂの一方に近接する前立て１０６のどちらか一方の側にある。左布地片２０４及び右布地片２０６はそれぞれ、前立て１０６の周囲に取り付けられて前立て１０６の上部から底部まで延びるクモの巣状の布地を含むことができる。左布地片２０４及び右布地片２０６は、前立て１０６の布地の少なくとも一部と重なって、例えば、前立て１０６の布地並びに左布地片２０４及び右布地片２０６の間に、着用者の外部男性生殖器の全体又は少なくとも一部を収容して支えるポケットを形成する。例によっては、左布地片２０４及び右布地片は、着用者の外部男性生殖器の少なくとも一部と着用者の内腿との間にあり、着用者の外部男性生殖器と内腿の肌接触の間の布地壁としての役目を果たす。図２Ａに示す通り、左布地片２０４と右布地片２０６とは、衣類の縦中心線、例えば、前立て１０６の中心線に対して実質的に対称である。各布地片の長端は、その長さに沿って前立て１０６の左右縫い目（それぞれ１１２ａ又は１１２ｂ）に取り付けられ、各布地片の一方の端にある第１の短端は、ウエストバンド１０２に近接して取り付けられ、もう一方の端にある第２の短端（例えば、第１の短端の反対側）は、前立て１０６の底部（例えば、マチ）に取り付けられている。各布地片は、ウエストバンド１０２に近接する結合と前立て１０６の下部における結合との間で交差する、又はねじれている。例えば、左布地片２０４は、前立て１０６の上部から底部まで延びながらその長手方向の長さに沿って交差する。同様に、右布地片２０６は、前立て１０６の上部から底部まで延びながらその長手方向の長さに沿って交差する。ウエストバンド１０２に近接する一方の端では、布地片（例えば、左布地片２０４又は右布地片２０６）の第１の短端が、ウエストバンド１０２に沿って（例えば、着用者側に向かって）実質的に外側へ延び、第２の短端は、第１の短端と反対に、実質的に内側へ延びている。図２Ａに示す通り、左布地片２０４と右布地片２０６とは、前立て１０６の底部近くの重なり部分２０８で重なっており、左布地片２０４との重なった端が破線で示されている。左布地片２０４及び右布地片２０６の幅は、前立て１０６の底部への下部取り付け部が部分的に又は完全に重なることができる。左布地片２０４と右布地片２０６とがウエストバンドに向かって上へ延びるにつれて、布地片が重なり合わなくなるまで重なり部分２０８は小さくなっていき、重なり部分２０８の実質的に三角形部分を形成している。
【００１６】
左布地片２０４及び右布地片２０６は、複数の材料及び布地を含むことができる。例えば、布地片は、柔軟なメッシュ生地、布地網、テープ、又は他の材料等の柔軟な布地を含むことができる。サポート要素の材料は変更することができ、前立て及び／又は本体部の布地のように柔軟性が高くても低くてもよく、同じ柔軟性でもよい。場合によっては、本体部１０４の布地は、綿、スパンデックス（登録商標）、これらの混合品、及び／又は他の材料を含むことができ、前立ての布地は、綿、スパンデックス（登録商標）、これらの混合品、及び／又は他の材料を含むことができ、糸（例えば、縫い目）は、ポリエステル、綿、及び／又はその他の材料を含むことができ、ウエストバンド１０２は、ポリエステル、スパンデックス（登録商標）、及び／又は他の材料を含むことができ、サポートスリング（例えば、サポートスリング２０２）は、ポリエステル、スパンデックス（登録商標）、及び／又はその他の材料を含むことができる。例えば、サポートスリングの布地片は、ニット製ポリエステル繊維、軽量ジャージ（例えば、綿）生地等のニット製の合成メッシュ生地を含むことができ、通風開口を含むこともでき、スパンデックス（登録商標）又はその他のエラストマ系材料を含むこともできる。左右布地片は、伸縮ゼロでもよく、いくらかの伸縮の程度（例えば、１０％以下、２０％以下、３０％以下、５０％以下、又はそれ以上の伸縮の程度）を有してもよく、その伸縮は、材料伸縮であってもよいし、機械的伸縮（例えば、綿リブ）であってもよい。
【００１７】
場合によっては、サポートスリング（例えば、交差サポートスリング２０２）は、前立て１０６の部分に近接する交差サポートスリング２０２を加えることでサポート（支え）を強化するように、下半身衣類（例えば、ボクサーブリーフ又は下半身衣類２００）の作りや構造に一体化されている。前立てのところで下半身衣類の内側に内部スリングを加え、前立ての底部でスリング層を交差することで（例えば、布地片又は網）、着用者は、例えば、前立てにスリングが無い下半身衣類を着用しているときに比べ、明らかに、より高いサポート感を持つ。このスリングは、衣類内部の前立て底部で交差する軽量の伸縮性布地の２つの布地片を用いて実現できる。実施によっては、交差サポートスリングは、衣類製作用のパターンに追加して、製造段階で縫い目に縫製することもできる。
【００１８】
サポートスリングの形と場所を変更してもよい。例えば、図２Ｂは、サポートスリング２１２を有する例示の下半身衣類２１０の断面内側正面図であり、下半身衣類２１０の前側内部を示している。例示の下半身衣類２１０とサポートスリング２１２とは、下半身衣類２１０のサポートスリング２１２が略平面の左布地片２１４と右布地片２１６とを含み、左布地片２１４及び右布地片２１６が前立て１０６に沿って縦に延びているので、左布地片２１４及び右布地片２１６には交差やねじれがないことを除けば、図２Ａの例示の下半身衣類２００及びサポートスリング２０２と同様である。代わりに、サポートスリング２１２の外周は、前立て１０６の外周の内部に留まっている。左布地片２１４と右布地片２１６とは、前立て１０６の底部近くに重なり部分２０８を含み、右布地片２１６の重なった端部を破線で示している。左布地片２１４の横方向外側の端は、左縫い目１１２ａに結合していると共に左縫い目１１２ａに沿って延びており、右布地片２１６の横方向外側の端は、右縫い目１１２ｂに結合していると共に右縫い目１１２ｂに沿って延びている。左布地片２１４及び右布地片２１６の上端は相互に横方向内側に延びており、これが、例えば、着用者が下半身衣類２１０を着用するときに外部男性生殖器の一部を出すための開口を画成する、布地片の上部端と内部端との間の隙間を残す。
【００１９】
図２Ｃは、サポートスリング２２２を有する例示の下半身衣類２２０の断面内側正面図であり、下半身衣類２２０の前側内側を示している。例示の下半身衣類２２０とサポートスリング２２２とは、下半身衣類２２０のサポートスリング２２２が、前立て１０６の下部において第１の重なり部分２２８で互いに重なると共に、前立て１０６の上部において第２の重なり部分２３０で互いに重なる、実質的に平面の左布地片２２４と右布地片２２６とを含み、これを除けば、図２Ａ、図２Ｂの例示の下半身衣類２００、２１０及びサポートスリング２０２、２１２のそれぞれと同様である。例えば、左布地片２２４の第１の部分は、右布地片２２６の第１の部分と重なって第１の重なり部分２２８を画成し、左布地片２２４の第２の部分は、右布地片２２６の第２の部分と重なって第２の重なり部分２３０を画成する。図２Ｃは、実質的に同じ寸法である第１の重なり部分２２８及び第２の重なり部分２３０を示している。しかし、重なり部分の大きさは違っていてもよい。例えば、第１の重なり部分２２８は、図２Ｃに示すよりも大きくても小さくてもよく、第２の重なり部分２３０よりも大きくても小さくてもよい。同様に、第２の重なり部分２３０は、図２Ｃに示すよりも大きくても小さくてもよく、第１の重なり部分２２８よりも大きくても小さくてもよい。
【００２０】
場合によっては、例示の下半身衣類（例えば、下半身衣類２００、２１０、２２０）を製作することは、フィットモデル（試着のために衣類を着る人）に下半身衣類を試着させると共にサポートスリングが追加される下半身衣類（例えば、ボクサーブリーフ）の本来の衣類仕様を分析することにより、下半身衣類上のサポートスリング（例えば、サポートスリング２０２、２１２、２２２）の正しい位置を決定することを含む。一旦、位置とパターンが決定されれば、衣類の内部の前立ての両側に（縫合で）２つの布地片をそれぞれ追加することができる。例によっては、スリングとして用いられる布地に対して適正な伸縮方向を利用して、サポートスリングを衣類へ縫着することもできる。スリング布地片の各端は、ループ縫製（裏編み、パール編み）、縁取り縫製、仕上げ縁、レーザカット縁、仕上げ縫合、折りたたみ縫合、又はその他の縁タイプを用いて縁取ることができる。
【００２１】
図２Ｃに示す例示の下半身衣類２２０に関しては、サポートスリング２２２は鍵穴形のサポートスリングである。鍵穴サポートスリング２２２は、ボクサーブリーフ型下半身衣類２２０の内側に配置され、前立て１０６の周囲に並んでいる。サポートスリング２２２の左布地片２２４と右布地片２２６とは、前立て１０６の上部端の第２の重なり部分２３０と前立て１０６の下部端の第１の重なり部分２２８とで少なくとも部分的に重なり合っている。左布地片２２４及び右布地片２２６の各布地片の長端は、前立て１０６の左又は右の横方向縫い目の端長さに沿って取り付けられ、一方の側の第１の短端はウエストバンドに近接して取り付けられ、もう一方の側の第２の短端は前立て１０６の底部（マチ）に取り付けられている。両方の短端は、実質的に内側に延び、前立て１０６の上縫い目と下縫い目で重なることができる。２つの布地片は、２つの布地片の間に鍵穴形の開口を形成する。布地片は、複数の材料及び布地を含むことができる。図２Ｃの例示の下半身衣類２２０においては、布地片はメッシュ生地を含む。
【００２２】
場合によっては、鍵穴サポートスリングは、鍵穴スリングを作り着用者をサポートする（支える）ために、前立ての上部と底部とで互いに重なる２片の布地を（例えば、縫合で）、下半身衣類の前立て内部の両側に追加することにより構成することができる。鍵穴サポートスリングは、スリングとして用いられる布地に対して適正な伸縮方向を利用して、サポートスリングを衣類へ縫着することもできる。スリング生地片の各端は、快適性のために裏編み縁取り縫製（ループ縁取り縫製）により縁取ることもできる。
【００２３】
図２Ａ乃至図２Ｃの下半身衣類（２００、２１０、２２０）のサポートスリング（２０２、２１２、２２２）の左布地片（２０４、２１４、２２４）及び右布地片（２０６、２１６、２２６）は、様々な場所や位置に配設でき、様々な材料や構造を含むことができる。例えば、左右布地片は、単層の布地片又は多層の布地片（例えば、２層布地片）を含むことができ、布地片の内部端は、ループ縫製（裏編み、パール編み）、縁取り縫製、仕上げ縁、レーザカット縁、仕上げ縫合、折りたたみ縫合、又はその他の縁タイプを含むことができる。
【００２４】
前立て２０６は、着用者の外部男性生殖器用のサポートバスケットとして働くバスケットスリングとしても活用できる。例えば、着用者の運動及び／又は活動時に外部男性生殖器の多方向でのサポート（支え）をもたらすことができる。
【００２５】
図３は例示の下半身衣類３００の正面図である。下半身衣類３００は、（少なくとも）前立てが、前立て１０６の外周にある両側部縫い目１１２ａ、１１２ｂの間を（実質的に又は厳密に）水平に延びるサポート縫製線３０２の形態でのサポート要素を含むこと、また、下半身衣類３００は、例えば、衣類を着用者が着用している時に、衣類の外側へ外部男性生殖器を露出する際の貫通入口となる重なり部分を含む貫通開口部３０４を含むこと、を除けば、図２Ａ乃至図２Ｃの例示の下半身衣類２００、２１０、２２０と同様である。図３の例示の下半身衣類３００は、図２Ａ乃至図２Ｃに関して既述したサポートスリングを含まない。しかし、例示の下半身衣類３００は、他のサポート要素、サポート構造、及び／又はここに述べるサポートスリングの１つ以上を含むことができる。場合によっては、下半身衣類３００は貫通開口部３０４を含まない。サポート縫製線３０２は、前立ての前側底面に近接する前立て１０６の左側部縫い目１１２ａと右側部縫い目１１２ｂとの間に延びるように示されている。水平縫い目は、衣類の着用者の股部分にサポートを提供するため、左右前立て縫い目の間に延びている。水平縫い目は、かがり縫い、縁取り縫製、こはぜ継ぎ、又はその他の種類の縫製又は縫い目を含むことができる。ＳＰＩ（インチ間縫い目）は変わってもよい。例えば、ＳＰＩは、約１３（例えば、１１と１５の間）にしてもよいし、異なってもよい（例えば、５と２０の間）。前立て１０６は、布地の２層（例えば、２層布地）を含むことができ、水平縫い目は前立て布地の両層を通して縫合できる。
【００２６】
サポート縫製線３０２の種類と場所は変わってもよい。例えば、図３は、サポート縫製線３０２を示しており、サポート縫製線３０２は、貫通開口部３０４のすぐ下（例えば、貫通開口部端から１〜２インチの範囲）、前立て１０６の上部から前立て１０６の長手方向に約２／３下がった位置、すなわち前立て１０６の底部から前立て１０６の長手方向に１／３上がった位置に配置されている。しかし、サポート縫製線３０２の位置は変えることができ、例えば、サポート縫製線３０２を、図３に示す位置より垂直方向に高く又は低く配置することができる。
【００２７】
サポート縫製線３０２は、様々な形を取ることができる。サポート縫製線３０２は、場合によっては縫い目を含む、としてここでは説明しているが縫い目や縫製でなくてもよい。代わりに、サポート縫製線３０２は、前立て１０６の複数の布地層あるいは前立てにつながる他のものの間で、テープ、あるいは下半身衣類３００の前立て１０６に融合、接合、接着又は、結合できる取り付け具などのサポート要素を含むこともできる。例えば、サポート縫製線３０２は、前立て１０６の横方向にわたって延びる縫製−縫い目線、前立てに融合、接着などで取り付けられたテーピング、前立て１０６の布地に融合又は接着されたその他の材料、前立てに編んだり、織り込んだり、縫着したり、結合したりする縫合糸、及び／又は他の材料を含むことができる。場合によっては、サポート縫製線３０２は、１インチまでの幅（例えば、１／４インチ、１／２インチ、３／４インチ、又はその他の寸法）を含む。場合によっては、サポート縫製線３０２は、ある程度の伸縮をもたらすことができる。場合によっては、例えば、マチに加えて又は代わって、前立てに強度及び／又はサポートをもたらすために、サポート縫製線３０２の伸縮の程度を、前立て１０６の布地よりも少なくする。
【００２８】
図４Ａは例示の下半身衣類４００の正面図、図４Ｂは例示の下半身衣類４００の断面内側正面図である。図３の下半身衣類３００と同様に、例示の下半身衣類は、前立て１０６の外周で両側部縫い目１１２ａ、１１２ｂの間を（実質的に又は厳密に）水平に延びるサポート縫製線４０２を含んでいる。図４Ｂは、例示の下半身衣類４００の前内側を示す。場合によっては、図４Ａ及び図４Ｂの例示の下半身衣類４００に示すように、サポート縫製線４０２は、サポート縫合の回りの（すなわち周囲の）布地襞４０４を作る水平サポート縫い目である。場合によっては、このサポート縫製線４０２は、例えば、前立て１０６の内側の部分であるサポート縫製線４０２内に一体化される１つ以上の弾性要素４０６（例えば、エラストマ要素、又は縫製の弾性／エラストマ／伸縮の効果を有するその他の要素）を含んでいる。弾性要素４０６は、サポート縫製４０２まわりの前立て１０６の布地における布地襞４０４（例えば、本体の余り、布地の折れ、布地のしわ、及び／又はその他の形の襞）を作るために、隣接した布地端の端を圧縮するべく水平サポート縫製線４０２にバイアスをかける（付勢する）。布地襞４０４は、（例えば、襞無しの布地よりも）前立て１０６の布地に、より大きい程度の伸縮を与え、下半身衣類４００の着用者の外部男性生殖器のための空間を与える。サポート縫製線４０２は、前立て１０６の前側底部に近接する前立て１０６の左右縫い目間に延びることができ、弾性要素４０６を含む。
【００２９】
サポート縫製線４０２の種類と場所を変更することもできる。例えば、図４Ａ及び図４Ｂは、貫通開口部３０４の下方（例えば、貫通開口部から１〜２インチの範囲）に位置するサポート縫製線４０２を示している。しかし、サポート縫製線４０２の位置を変えることができ、例えば、サポート縫製線４０２を、図４Ａ及び図４Ｂに示す位置より垂直方向に高く又は低く配置することができる。
【００３０】
サポート縫製線４０２は、様々な形を取ることができる。サポート縫製線４０２は、場合によっては縫い目を含むものとしてここでは説明しているが、縫い目や縫製でなくてもよい。代わりに、サポート縫製線４０２は、前立て１０６の複数の布地層あるいは前立てにつながる他のものの間で、テープ、あるいは下半身衣類４００の前立て１０６に融合、接合、接着又は、結合できる取り付け具などのサポート要素を含むこともできる。例えば、サポート縫製線４０２は、前立て１０６の横方向にわたって延びる縫製−縫合線、前立てに融合、接着などで取り付けられているテーピング、前立て１０６の布地に融合又は接着されているその他の材料、前立てに編んだり、織り込んだり、縫着したり、又は結合したりする縫合糸、及び／又は他の材料を含むことができる。場合によっては、サポート縫製線４０２は、１インチまでの幅（例えば、１／４インチ、１／２インチ、３／４インチ、その他の寸法）を含む。場合によっては、サポート縫製線４０２は、ある程度の伸縮をもたらすこともできる。場合によっては、例えば、マチに加えて又は代わって、前立てに強度及び／又はサポートをもたらすために、サポート縫製線４０２の伸縮の程度を、前立て１０６の布地よりも少なくする。
【００３１】
場合によっては、水平サポート縫製線４０２と、前立て１０６の左側部縫い目１１２ａ及び右側部縫い目１１２ｂに隣接する部分（例えば、水平縫合から上側に延びる左右縫い目）とは、縫製、仮留め、接着、融合、又は縫い目１１２ａ、１１２ｂ内へ一体化された、弾性要素４０８を含むことができる。弾性要素４０８は、側部縫い目１１２ａ、１１２ｂの長さの一部、例えば、１／４の長さ、１／３の長さ、又は前立て１０６の各側部縫い目１１２ａ、１１２ｂとサポート縫製４０２との交差点が始まる側部縫い目１１２ａ、１１２ｂの長さの別の部分まで、延びることができる。場合によっては、略垂直方向の弾性要素４０８は、縫い目１１２ａ、１１２ｂの縫合線に沿って延び、水平サポート縫製線４０２の弾性要素４０６は、前立て１０６の布地にわたって延びる。実施によっては、弾性要素４０６及び／又は弾性要素４０８は、伸びた状態にあるときに縫製され、隣接する布地は緩んだ状態（すなわち、伸びていない状態）にあり、弾性要素を伸びていない状態に戻すことにより、水平サポート縫製４０２及び／又は前立て１０６の左側部縫い目１１２ａ及び右側部縫い目１１２ｂに隣接する部分の周りに布地襞４０４が作られる。複数の弾性要素と布地襞４０４とは、水平縫合及び／又はその他の縫合部で前立て部のサポート（支え）を維持したり、増やしたり、その他影響を与えたりする時に、スリング部のボリューム（例えば増加した嵩）を与える。弾性要素４０６及び／又は弾性要素４０８は、様々な形を取ることができる。例えば、弾性要素として、前立て１０６の布地の伸縮の程度よりも大きい伸縮の程度を有する、エラストマ材（弾性）の紐又は帯（バンド）、エラストマ糸、伸縮性のある縫合テープ、又はその他の要素を挙げることができる。サポート縫製線４０２は、場合によっては縫い目であってもよいとしてここで説明しているが、サポート縫製線４０２は縫い目や縫製でなくてもよい。代わりに、サポート縫製線４０２は、テープ、あるいは下半身衣類４００の前立て１０６に融合、接合、接着、又は結合できる取り付け具等のサポート要素を含むこともできる。
【００３２】
場合によっては、襞をよせた水平縫製線又は縫い目は、フィットモデルに下半身衣類を試着させて縫製線又は縫い目が追加されるボクサーブリーフの本来の衣類仕様を分析し、襞をよせた縫製線又は縫い目の下半身衣類における適正な位置を決定することにより構成される。一旦、位置が決定されれば、布地に襞を作る縫合時に弾性材を伸ばしながら、前立て底部における衣類の内側に弾性材を取り付けることができる。ＳＰＩ（インチ間縫合）は、１３とすることができるが、例えば、５と２０の間に変更することもできる。襞よせ縫製は、前立て布地の両層を通して縫合する時に、最も機能する（すなわち、最適にサポートする）。
【００３３】
襞をよせたサポート前立ては、下半身衣類の着用者のサポート（支え）を作る。この種の衣類にサポートを加える従来の方法は、マチを追加することである。マチは、布地片であり、一般的には長方形又は菱形であって、衣類に挿入してより多くの空間を与え、より大きい動きやすさを与える。男性用下着においては、例えば、マチは、衣類の内側の縫合及び股部分に沿って存在する。従来のマチは、サポートを提供するが、前立てに追加の成形をしないかもしれず、その一方で、襞をよせた前立ては、着用者にサポートと快適さの向上をもたらす。
【００３４】
第１の態様では、下半身衣類は、本体部と；前記本体部の前部の周りに配設された前立てと；前記前立てに接続されたサポートスリングであって、前記前立ての左側外周に沿って延びる左布地片と、前記前立ての右側外周に沿って延びる右布地片と、を有するサポートスリングと；を備え、前記前立ての底部に隣接して配置された重なり部分で、前記左布地片の第１の部分が前記右布地片の第１の部分と重なっている。
【００３５】
第２の態様では、第１の態様において、前記左布地片と前記右布地片とは、前記前立ての中心線に対して対称である。
【００３６】
第３の態様では、第１の態様又は第２の態様において、前記左布地片の第１の長端は、前記前立てを前記本体部の隣接する布地に接続する左側縫い目に沿って延びており、前記右布地片の第１の長端は、前記前立てを前記本体部の隣接する布地に接続する右側縫い目に沿って延びている。
【００３７】
第４の態様では、第１の態様乃至第３の態様のいずれかにおいて、前記左布地片の幅は、前記前立ての中心線に向かって内側へ且つ前記前立ての第１の部分を超えて延びており、前記右布地片の幅は、前記前立ての中心線に向かって内側へ且つ前記前立ての第２の部分を超えて延びている。
【００３８】
第５の態様では、第１の態様乃至第４の態様のいずれかにおいて、前記左布地片及び前記右布地片は、前記前立ての前記底部と前記前立ての上部との間で、それぞれの長さに沿って実質的に平面である。
【００３９】
第６の態様では、第１の態様乃至第５の態様のいずれかにおいて、前記前立ての上部に隣接して配置された第２の重なり部分で、前記左布地片の第２の部分が前記右布地片の第２の部分と重なっている。
【００４０】
第７の態様では、第１の態様乃至第３の態様のいずれかにおいて、前記左布地片は、前記前立ての前記底部と前記前立ての上部左側部との間における長さに沿って交差しており、前記右布地片は、前記前立ての前記底部と前記前立ての上部右側部との間における長さに沿って交差している。
【００４１】
第８の態様では、第１の態様乃至第７の態様のいずれかにおいて、前記左布地片と前記右布地片との間の空間は、前記下半身衣類の着用者の外部男性生殖器の少なくとも一部を受けるように構成された開口を画成し、前記左布地片及び前記右布地片は、前記着用者により着用されているときの前記下半身衣類の前記着用者の前記外部男性生殖器の少なくとも一部と内腿との間にある。
【００４２】
第９の態様では、第１の態様乃至第８の態様のいずれかにおいて、前記左布地片及び前記右布地片はメッシュ生地を備える。
【００４３】
第１０の態様では、第９の態様において、前記左布地片及び前記右布地片は２層のメッシュ生地を備える。
【００４４】
第１１の態様では、第１の態様乃至第１０の態様のいずれかにおいて、前記左布地片の露出された端部は、ループ縫製、縁取り縫製、仕上げ縁、レーザカット縁、仕上げ縫合、及び折りたたみ縫合のうちの少なくとも１つを含む。
【００４５】
第１２の態様では、第１の態様乃至第１１の態様のいずれかにおいて、前記本体部の上端に取り付けられて着用者の胴を包囲するように構成されたウエストバンドを更に備える。
【００４６】
第１３の態様では、第１の態様乃至第１２の態様のいずれかにおいて、前記本体部の２つの脚部間で、前記本体部の底部に取り付けられたマチを更に備える。
【００４７】
第１４の態様では、第１の態様乃至第１３の態様のいずれかにおいて、前記下半身衣類は下着を含む。
【００４８】
第１５の態様では、第１４の態様において、前記下着はボクサー、ブリーフ、又はボクサーブリーフを含む。
【００４９】
多くの実施を説明してきた。それにもかかわらず、本開示の精神及び範囲から離れることなく様々な変更が行われてもよいことは言うまでもない。
【符号の説明】
【００５０】
１００、２００、２１０、２２０、３００、４００  下半身衣類
１０２  ウエストバンド
１０４  本体部
１０６  前立て
１１２ａ  左縫い目
１１２ｂ  右縫い目
２０４、２１４、２２４  左布地片
２０６、２１６、２２６  右布地片
２０８  重なり部分
２２８  第１の重なり部分
３０２、４０２  サポート縫製線
３０４  貫通開口部
４０４  布地襞
４０６、４０８  弾性要素
【図１】
2019511646.tif 000003
【図２Ａ】
2019511646.tif 000004
【図２Ｂ】
2019511646.tif 000005
【図２Ｃ】
2019511646.tif 000006
【図３】
2019511646.tif 000007
【図４Ａ】
2019511646.tif 000008
【図４Ｂ】
2019511646.tif 000009
【国際調査報告】
2019511646.tif 000010
2019511646.tif 000011